(57)【特許請求の範囲】
【請求項１】
クラウン部と、
フェース部と、
少なくとも１つの凹部を有するソール部と、
前記凹部に取り付けられる、装飾部材と、
前記装飾部材を前記凹部に固定するための固定部材と、
を備え、
前記凹部の底面には、固定穴が形成されており、
前記固定部材は、筒状の頭部と、前記頭部に取り付けられ、当該頭部よりも小径で前記固定穴に固定される軸部と、を備え、
前記頭部は、外周面と、前記軸部が連結される下面とを有し、
前記装飾部材は、前記固定部材の頭部が外部に露出するように当該固定部材が取り付けられる貫通孔を有しており、
前記貫通孔は、前記軸部が挿通される軸部挿通部と、当該軸部挿通部より大径で、前記頭部が配置される頭部配置部と、を備え、前記頭部配置部の内壁面と前記頭部の外周面との間には、少なくとも外部に露出する部分において隙間が形成されており、
前記頭部配置部は、前記内壁面と前記軸部挿通部との間に段部を有しており、
前記段部に、前記頭部の下面が接し、
前記頭部配置部の内壁面は、前記頭部の外周面と接触する接触部と、当該接触部と軸方向に並び、前記頭部の外周面よりも大径の隙間部とで形成されている、ゴルフクラブヘッド。
【請求項２】
前記頭部の外周面は、前記軸部側にいくにしたがって、径が小さくなるテーパ状に形成されており、
前記貫通孔の接触部の内壁面は、前記頭部の外周面と対応するように、前記軸部挿通部側にいくにしたがって、径が小さくなるテーパ状に形成されている、請求項１に記載のゴルフクラブヘッド。
【請求項３】
前記装飾部材は、接着剤により前記凹部に固定される、請求項１または２に記載のゴルフクラブヘッド。
【請求項４】
前記装飾部材において外部を向く面と、前記頭部において外部を向く面とが、同一平面上に配置されるように構成されている、請求項１から３のいずれかに記載のゴルフクラブヘッド。
【請求項５】
前記固定部材及び装飾部材の少なくとも一方は、前記凹部に着脱自在に取り付けられる調整ウエイトである、請求項１から４のいずれかに記載のゴルフクラブヘッド。
【発明の詳細な説明】
【技術分野】
【０００１】
本発明は、ゴルフクラブヘッドに関する。
【背景技術】
【０００２】
特許文献１では、ソール部に凹部を形成し、この凹部にウエイトを着脱自在に取り付けることができるゴルフクラブヘッドが提案されている。具体的には、凹部に対し、円形の装飾部材（質量要素）を配置するとともに、この装飾部材の貫通孔に対し、ボルト状の固定部材を挿通し、凹部に固定している。
【先行技術文献】
【特許文献】
【０００３】
【特許文献１】特許第４３７０２５４号公報
【発明の概要】
【発明が解決しようとする課題】
【０００４】
しかしながら、上記のようなゴルフクラブヘッドでは、装飾部材に対する固定部材の位置ずれが生じると、固定部材の頭部の外周面と装飾部材の貫通孔との間に隙間が生じ、見栄えが悪くなるという問題がある。そこで、本発明は、この問題を解決するためになされたものであり、固定部材が装飾部材に対してずれて配置された場合でも、外観性状が低下するのを防止することができる、ゴルフクラブヘッドを提供することを目的とする。
【課題を解決するための手段】
【０００５】
本発明に係るゴルフクラブヘッドは、クラウン部と、フェース部と、少なくとも１つの凹部を有するソール部と、前記凹部に取り付けられる、装飾部材と、前記装飾部材を前記凹部に固定するための固定部材と、を備え、前記凹部の底面には、固定穴が形成されており、前記固定部材は、筒状の頭部と、前記頭部に取り付けられ、当該頭部よりも小径で前記固定穴に固定される軸部と、を備え、前記装飾部材は、前記固定部材の頭部が外部に露出するように当該固定部材が取り付けられる貫通孔を有しており、前記貫通孔は、前記軸部が挿通される軸部挿通部と、当該軸部挿通部より大径で、前記頭部が配置される頭部配置部と、を備え、前記頭部配置部の内壁面と前記頭部の外周面との間には、少なくとも外部に露出する部分において隙間が形成されている。
【０００６】
上記ゴルフクラブヘッドにおいて、前記頭部配置部の内壁面は、前記頭部の外周面と接触する接触部と、当該接触部と軸方向に並び、前記頭部の外周面よりも大径の隙間部とで形成することができる。
【０００７】
上記各ゴルフクラブヘッドにおいて、前記頭部の外周面は、前記軸部側にいくにしたがって、径が小さくなるテーパ状に形成することができ、前記貫通孔の接触部の内壁面は、前記頭部の外周面と対応するように、前記軸部挿通部側にいくにしたがって、径が小さくなるテーパ状に形成することができる。
【０００８】
上記各ゴルフクラブヘッドにおいて、前記装飾部材は、接着剤により前記凹部に固定することができる。
【０００９】
上記各ゴルフクラブヘッドにおいては、前記装飾部材において外部を向く面と、前記頭部において外部を向く面とが、同一平面上に配置されるように構成することができる。
【００１０】
上記各ゴルフクラブヘッドにおいて、前記固定部材及び装飾部材の少なくとも一方は、前記凹部に着脱自在に取り付けられる調整ウエイトとすることができる。
【発明の効果】
【００１１】
本発明に係るゴルフクラブヘッドによれば、固定部材が装飾部材に対してずれて配置された場合でも、外観性状が低下するのを防止することができる。
【図面の簡単な説明】
【００１２】
【図１】本発明に係るゴルフクラブヘッドの一実施形態における基準状態の斜視図である。
【図２】図１の平面図である。
【図３】図１の底面図である。
【図４】固定部材の平面図（ａ）及び断面図（ｂ）である。
【図５】装飾部材の平面図（ａ）及び断面図（ｂ）である。
【図６】装飾部材及び固定部材がソール部に取り付けられた状態を示す断面図である。
【図７】図６の平面図である。
【図８】装飾部材及び固定部材の他の例を示す断面図である。
【発明を実施するための形態】
【００１３】
以下、本発明に係るゴルフクラブヘッドの一実施形態について、図面を参照しつつ説明する。図１は本実施形態に係るゴルフクラブヘッドの斜視図、図２は図１の平面図、図３は図１の底面図である。以下では、まず、ゴルフクラブヘッドの概要について説明し、その後、ゴルフクラブヘッドに設けられる装飾部材及び固定部材について説明する。
【００１４】
＜１．ゴルフクラブヘッドの概要＞
【００１５】
図１に示すように、このゴルフクラブヘッド（以下、単に「ヘッド」ということがある）１０は、内部空間を有する中空構造であり、フェース部１、クラウン部２、ソール部３、サイド部４、及びホーゼル部５によって壁面が形成されている。
【００１６】
フェース部１は、ボールを打球する面であるフェース面を有しており、クラウン部２はフェース部１と隣接し、ヘッドの上面を構成する。ソール部３は、ヘッドの底面を構成し、フェース部１及びサイド部４と隣接する。また、サイド部４は、クラウン部２とソール部３との間の部位であり、フェース部１のトウ側からヘッドのバック側を通りフェース部１のヒール側へと延びる部位である。さらに、ホーゼル部５は、クラウン部２のヒール側に隣接して設けられる部位であり、ゴルフクラブのシャフト（図示省略）が挿入される挿入孔５１を有している。そして、この挿入孔５１の中心軸線Ｚは、シャフトの軸線に一致している。
【００１７】
ここで、上述した基準状態について説明する。まず、図１及び図２に示すように、上記中心軸線Ｚが地面（水平面）に対して垂直な平面Ｐ１に含まれ、且つ所定のライ角及びリアルロフト角で地面上にヘッド１０が載置された状態を基準状態と規定する。そして、上記平面Ｐ１を基準垂直面と称する。また、図２に示すように、上記基準垂直面Ｐ１と地面との交線の方向をトウ−ヒール方向と称し、このトウ−ヒール方向に対して垂直であり且つ地面に対して平行な方向をフェース−バック方向と称することとする。
【００１８】
図３に示すように、ソール部３には、円形状の凹部３１が形成されており、この凹部３１の底面３１１には雌ネジが形成された固定穴３１２が設けられている。そして、凹部３１には、後述するように、装飾部材６と、この装飾部材６を凹部３１に固定するための固定部材７が配置される。
【００１９】
また、本実施形態において、ソール部３とフェース部１、及びソール部３とサイド部４の境界は次のように定義することができる。すなわち、ソール部３とフェース部１、及びソール部３とサイド部４の間に稜線が形成されている場合には、これが境界となる。また、本実施形態に係るゴルフクラブヘッドでは、サイド部４を有しているが、例えば、サイド部４を有さなかったり、サイド部４が明確に判別できずソール部３に含まれており、ソール部３がクラウン部２と直接連結されている場合には、ソール部３とクラウン部２との間の稜線が、両者の境界となる。また、明確な稜線が形成されていない場合には、ヘッドを基準状態に設置し、これをヘッド１０の重心の真上から見たときの輪郭が境界となる。なお、上記のようにサイド部が明確に判断できない場合も考慮して、本発明に係る「ソール部」は、サイド部を含むものとする。
【００２０】
なお、ヘッド１０の体積の上限は特に定めないが、実用上、例えば５００ｃｍ3以下が望ましく、またＲ＆ＡやＵＳＧＡのルール規制に従う場合には４７０ｃｍ3以下が望ましい。
【００２１】
また、ヘッド１０は、例えば、比重がほぼ４．４〜４．５程度のチタン合金（Ｔｉ−６Ａｌ−４Ｖ）で形成することができる。また、チタン合金以外にも、例えばステンレス鋼、マレージング鋼、アルミ合金、マグネシウム合金、またはアモルファス合金などの中から１種または２種以上を用いて形成することもできる。
【００２２】
なお、本実施形態に係るヘッド１０は、少なくともソール部３を有するヘッド本体と、他の部分を組み合わせることで構成される。例えば、フェース部１のみを別部材で構成してヘッド本体に取り付けることでヘッドを構成したり、あるいはクラウン部２やサイド部４に開口を設けたヘッド本体を形成し、この開口を別部材で塞ぐことでヘッドを構成することもできる。
【００２３】
＜２．固定部材＞
次に、固定部材７について、図４を参照しつつ説明する。図４は固定部材の平面図（ａ）及び断面図（ｂ）である。以下では、説明の便宜上、図面内の上下方向に基づき、説明を行うが、必ずしもこの方向が発明を限定するものではない。この点は、以下の装飾部材６の説明及びその取付に関する説明についても同じである。
【００２４】
図４に示すように、固定部材７は、円板状の頭部７１と、この頭部７１の下面から延びる軸部７２とを備えている。そして、頭部７１の上面には装飾が施されている。すなわち、頭部７１の上面には、外周縁から径方向内方に延びる複数の三角形状の凹部７１１が等間隔で形成されている。また、頭部７１の上面の中央には、六角レンチなどの工具を差し込むための工具穴７１２が形成されている。さらに、頭部７１の外周面７１３は、下方にいくにしたがって径が小さくなるテーパ状に形成されている。一方、軸部７２は、円柱状に形成されており、外周面には雄ネジが形成されている。そして、この軸部７２は、上述したソール部３に形成された凹部３１の固定穴３１２の雌ネジに螺合するようになっている。
【００２５】
固定部材７を形成する材料は、特には限定されないが、例えば、アルミニウム、ステンレス等の金属や樹脂材料用いることができる。また、この固定部材７を、調整用のウエイトとして用いることができる。すなわち、それぞれ異なる重さでほぼ同じ形状の複数種類の固定部材７を用意しておく。そして、複数種類のうちのいずれかの固定部材７を用いることで、ヘッドの重量や重心位置を変更することができる。
【００２６】
＜３．装飾部材＞
次に、装飾部材６について、図５を参照しつつ説明する。図５は装飾部材の平面図（ａ）及び断面図（ｂ）である。
【００２７】
図５に示すように、装飾部材６は、ソール部３に装飾を施すために設けられるものである。円形の板状に形成されており、中央に貫通孔６１が形成されている。装飾部材６の外径は、ソール部３の凹部３１の内径とほぼ一致しており、また、中央の貫通孔６１は、凹部３１の固定穴３１２と対応する位置に配置されている。装飾部材６の上面には、装飾が施されているが、種々の方法での装飾が可能である。例えば、着色したり、凹凸による模様を形成することで装飾を施すことができる。図５の例では、貫通孔６１の周囲に、リング６２が形成されるとともに、複数の三角形状の突部６３が装飾部材６の上面の外周縁から径方向内方へ突出するような模様が形成されている。そして、装飾部材６の上面において、リング６２及び突部６３以外の領域が削られて凹部となることで、模様を形成している。なお、装飾部材６の突部６３と固定部材７の凹部７１１とは、ともに三角形状に形成されており、模様の共通化を図っている。
【００２８】
貫通孔６１は、固定部材７を取り付けるために形成されており、円筒状の３つの部位で構成されている。すなわち、固定部材７の軸部７２が挿通される第１部（軸部挿通部）６１１と、この第１部６１１より大径で、頭部７１が配置される第２部（接触部）６１２と、この第２部６１２より大径で頭部７１の周縁に隙間を形成する第３部（隙間部）６１３と、で構成されており、第１部から第３部６１１〜６１３は、この順で、貫通孔６１の下方から上方へ連続するように形成されている。なお、本実施形態の第２部６１２と第３部６１３とで、本発明の頭部配置部を構成している。
【００２９】
第１部６１１は、固定部材７の軸部７２よりもやや大径に形成されている。第２部６１２は、第１部６１１より大径であるため、第２部６１２と第１部６１１との間には、第１段部６１４が形成されており、この第１段部６１４に固定部材７の頭部７１の下面が設置されるようになっている。このとき、頭部７１の上面と装飾部材６の上面とは、概ね同一平面上に配置されるように、第１段部６１４の深さが規定されている。また、第２部６１２の内壁面は、下方にいくにしたがって径が小さくなるテーパ状に形成されており、固定部材７の頭部７１の外周面７１３のテーパと対応している。
【００３０】
第３部６１３は、第２部６１２よりやや大径に形成されており、固定部材７の頭部７１が装飾部材６に装着されたとき、固定部材７の頭部の周縁に隙間を形成するものである。すなわち、頭部７１の外周面７１３と第３部６１３の内壁面との間に隙間Ｄが形成される（図６参照）。この隙間Ｄの幅は、特には限定されないが、例えば、０．１〜２．０ｍｍ、より好ましくは０．２〜１．５ｍｍとすることができる。また、第３部６１３と第２部６１２との間には、第２段部６１５が形成されるが、この第２段部６１５は、装着された頭部７１の上下方向の中間部に位置するように構成されている。
【００３１】
装飾部材６を形成する材料は特には限定されないが、例えば、ステンレス、アルミニウムなどの金属、樹脂材料などで形成することもできる。また、固定部材７と同様に、装飾部材６を調整用のウエイトとして用いることもできる。
【００３２】
＜４．固定部材及び装飾部材の取付＞
次に、固定部材及び装飾部材の取付について、図６及び図７を参照しつつ説明する。図６は装飾部材及び固定部材がソール部に取り付けられた状態を示す断面図、図７は図６の平面図である。
【００３３】
まず、装飾部材６の下面に接着剤を塗布した後、装飾部材６をソール部３の凹部３１に配置する。続いて、装飾部材６の貫通孔６１に固定部材７を配置し、固定部材７の上面の工具穴７１２に六角レンチを差し込み、回転させる。これにより、固定部材７の軸部７２の雄ネジが、凹部３１の雌ネジにねじ込まれていく。そして、固定部材７が完全にねじ込まれると、頭部７１の上面と装飾部材６の上面がほぼ一致する。こうして、図６及び図７に示すように、固定部材７及び装飾部材６の取付が完了する。
【００３４】
＜５．特徴＞
以上のように、本実施形態によれば、装飾部材６の貫通孔６１に、固定部材７の頭部７１よりも径の大きい第３部６１３を形成しているため、固定部材７が装飾部材６に装着されたときには、頭部７１の外周に隙間Ｄが形成される。そのため、次のような利点がある。例えば、このような隙間が形成されていない場合には、頭部７１は貫通孔６１に対して隙間なく配置されることになる。このとき、頭部７１の位置ずれが生じた場合には、貫通孔６１と頭部７１との間の一部に隙間が生じ、外観上、見栄えが悪くなるおそれがある。これに対して、本実施形態のように、予め頭部７１の外周に隙間Ｄが形成されていると、頭部７１が第３部６１３に対して多少ずれて取り付けられたとしても、予め形成された隙間Ｄの幅が変化するだけであるので、位置ずれが目立たない。
【００３５】
また、固定部材７の頭部７１の外周面７１３、及び装飾部材６の第２部６１２の内壁面がテーパ状に形成されているため、例えば、寸法誤差により、頭部７１の位置ずれが生じた場合であっても、頭部７１を第２部６１２に対して、はめ込むことができる。さらに、固定部材７がねじ込まれるにしたがって、頭部７１の外周面７１３が第２部６１２の内壁面を下方に押圧するため、装飾部材６を凹部３１の底面３１１に対して、強固に押しつけることができる。
【００３６】
さらに、装飾部材６を接着剤により、凹部３１に固定しているため、振動に起因する異音が装飾部材６から発生するのを抑制することができる。また、固定部材７はネジ止めにより、凹部３１に即座に固定することができるため、装飾部材６を固定する接着剤が乾くのを待つことなく、装飾部材６を凹部３１に固定することができる。
【００３７】
＜６．変形例＞
以上、本発明の一実施形態について説明したが、本発明は上記実施形態に限定されるものではなく、その趣旨を逸脱しない限りにおいて、種々の変更が可能である。例えば、以下の変更が可能である。
【００３８】
＜６．１＞
上記実施形態においては、装飾部材６が円形に形成されているが、形状は特には限定されない。例えば、多角形状にすることもできる。また、装飾部材６は、板状のほか、ブロック状に形成されていてもよい。
【００３９】
＜６．２＞
上記実施形態においては、装飾部材６の貫通孔６１の第２部６１２の内壁面がテーパ状に形成されているが、テーパを形成せず、貫通孔６１の軸方向と平行に延びるように形成することもできる。この場合、固定部材７の頭部７１の外周面７１３も、テーパを設けず、軸部７２の延びる方向と平行に形成することができる。
【００４０】
＜６．３＞
上記実施形態においては、装飾部材６の貫通孔６１において、頭部７１が配置される部位を第２部６１２と第３部６１３とで構成しているが、例えば、頭部７１の外周面７１３と接触する部位を形成せず、図８に示すように、頭部７１の外周面全体との間に隙間Ｄを形成するようにすることもできる。
【００４１】
＜６．４＞
上記実施形態においては、固定部材７の頭部７１の上面と、装飾部材６の上面とが概ね同一平面上にあるように形成しているが、装飾部材６に対して頭部７１が突出したり、あるいは凹むように形成することもできる。
【００４２】
＜６．５＞
固定部材７は、ネジ止めにより、ソール部の凹部３１に固定されているが、ネジ止め以外でもよく、例えば、接着剤やスナップ式の嵌合により固定することもできる。
【００４３】
＜６．６＞
上記実施形態では、ソール部３に１つの凹部３１を設けているが、複数設けてもよい。これに合わせて、装飾部材６及び固定部材７も複数設けることもできる。
【００４４】
＜６．７＞
上記実施形態では、ウッド型ゴルフクラブについて説明したが、本発明に係るゴルフクラブは、これに限定されない。例えば、いわゆるユーティリティ型及びハイブリッド型等を含む中空のヘッドを有するゴルフクラブであってもよい。
【符号の説明】
【００４５】
１        ：フェース部
２        ：クラウン部
３        ：ソール部
３１      ：凹部
３１１    ：底面
３１２    ：固定穴
６        ：装飾部材
６１      ：貫通孔
６１１    ：第１部（軸部挿通部）
６１２    ：第２部（頭部配置部、接触部）
６１３    ：第３部（頭部配置部、隙間部）
７        ：固定部材
７１      ：頭部
７１３    ：外周面
７２      ：軸部
Ｄ        ：隙間
【図１】
0006592975.tif 000002
【図２】
0006592975.tif 000003
【図３】
0006592975.tif 000004
【図４】
0006592975.tif 000005
【図５】
0006592975.tif 000006
【図６】
0006592975.tif 000007
【図７】
0006592975.tif 000008
【図８】
0006592975.tif 000009